(57)【要約】【課題】枠体に取り付けられた蓋体を掴んだ時に、蓋体がへこんで変形してしまうことがなく、外観上の問題が発生しない電子機器を提供する。【解決手段】配線基板３と、配線基板３を支持すると共に開口部１ｄを有する枠体１と、開口部１ｄを覆う蓋体２と、を備え、枠体１は、配線基板３の第１辺３ａに沿って形成された第１枠板１ａと、第１辺３ａに対して直角方向にある第２辺３ｂに沿って形成された第２枠板１ｂと、第２辺３ｂに対して対向する辺である第３辺３ｃに沿って形成された第３枠板１ｃとを有し、蓋体２は、配線基板３と対向する蓋板２ｃと、蓋板２ｃから垂直方向に連なると共に第１枠板１ａに対し平行に形成され、第１枠板１ａの面を外側から押さえるように構成された第１腕２ａと、蓋板２ｃから垂直方向に連なると共に第１腕２ａに対し平行に形成された第２腕２ｂと、を有し、第２腕２ｂが、第２枠板１ｂと第３枠板１ｃとで係止される。【選択図】図３
0003189708.tif 000002
【実用新案登録請求の範囲】
【請求項１】
セット製品のマザーボードに装着される電子機器であって、
平面視矩形状をしていると共に一方の面に電子部品が搭載された配線基板と、
前記配線基板を支持すると共に前記配線基板の他方の面側に開口部を有し、前記マザーボードへの装着に供される金属製の枠体と、
前記開口部を前記他方の面側から覆う金属製の蓋体と、を備え、
前記枠体は、前記配線基板の１つの辺である第１辺に沿って形成された第１枠板と、前記配線基板の前記第１辺に対して直角方向にある第２辺に沿って前記第１枠板から連続して形成された第２枠板と、前記配線基板の前記第２辺に対して対向する辺である第３辺に沿って前記第１枠板から連続して形成された第３枠板とを有し、
前記配線基板には、前記配線基板と前記マザーボードとを接続する複数の接続端子が、前記第１辺に対して対向する辺である第４辺に沿って並設されていて、
前記蓋体は、前記配線基板の他方の面と対向する蓋板と、前記蓋板から垂直方向に連なると共に前記第１枠板に対し平行に形成され、前記第１枠板の面を外側から押さえるように構成された第１腕と、前記蓋板から垂直方向に連なると共に前記第１腕に対し平行に形成された第２腕と、を有し、
前記第２腕が、前記第２枠板と前記第３枠板とで係止される、ことを特徴とする電子機器。
【請求項２】
前記第２枠板及び前記第３枠板それぞれの、前記第２腕の側の上端から垂直方向に側溝を形成させ、
前記第２腕の両端部が、前記第２枠板及び前記第３枠板それぞれに形成された側溝に挿入されることを特徴とする請求項１に記載の電子機器。
【請求項３】
前記第２枠板及び前記第３枠板それぞれに前記配線基板を押さえるための舌片が設けられており、
２つの前記側溝それぞれが、前記舌片の方向に向けて形成されていることを特徴とする請求項２に記載の電子機器。
【考案の詳細な説明】
【技術分野】
【０００１】
本考案は、電子回路が搭載された電子機器に係り、特に、セット製品のマザーボード上に装着される電子機器に関する。
【背景技術】
【０００２】
従来、例えば地上デジタルテレビジョン放送やデジタルオーディオ放送等のデジタル放送を受信するための電子機器は、電子機器として製造された後に、テレビジョンセット等のセット製品に取り付けられるようになされている。
【０００３】
このような電子機器では、配線基板に電子回路が形成され、この電子回路が形成された配線基板を金属枠に取り付けた後、電子回路を高周波的にシールドするために、表カバー及び裏カバーが取り付けられる。この種の電子機器を図６に示す。
【０００４】
図６に示すように、チューナ９００において、配線基板９０３を支持してセット基板への装着に供される枠体９２８は、セット基板への装着側に形成された下側開口９４４、及び下側開口９４４から切り起こされた係合部９４５を有する正面板９３０を備える。それと共に、正面板９３０の上辺に連なり、左右横板９６２及び９６３に連結して配線基板９０３の上方を囲む天板表面９５２を有した天板９５１と、係合部９４５を挟んで天板９５１とは反対側で正面板９３０の下辺に連なる一方、左右横板９６２及び９６３に連結せず、端子群９１０を回避して配線基板９０３の下方を囲む底板９７４と、を備える。一方、表カバー９７８は、正面板９３０を覆う正面蓋９８０と、正面蓋９８０に連なって天板表面９５２を上方から押さえる第１上側腕９８１ａと、正面蓋９８０に連なりつつ下側開口９４４に挿入され、係合部９４５を下方から支持する保持腕９８４とを備える。
【０００５】
上述したように、チューナ９００では、表カバー９７８が第１上側腕９８１ａと保持腕９８４とを有し、第１上側腕９８１ａによって天板９５１を押さえ、保持腕９８４によって正面板９３０の係合部９４５に支持されるため、枠体９２８に表カバー９７８を安定して取り付けることができる。
【０００６】
チューナ９００では、このように構成することにより、小型化を図りつつ、シールド性の低下や打振ノイズの発生を防止できる電子機器を提供することができるとしている。
【先行技術文献】
【特許文献】
【０００７】
【特許文献１】特開２０１２−１１４２７１ 号公報
【考案の概要】
【考案が解決しようとする課題】
【０００８】
上述したように、チューナ９００では、表カバー９７８の下側の辺に保持腕９８４を有し、その保持腕９８４によって正面板９３０の係合部９４５に支持されるため、表カバー９７８のセット基板への装着側の辺は枠体９２８に安定して固定される。
【０００９】
しかしながら、特許文献１の発明のチューナ９００の場合、その裏カバーは、表カバー９７８とは異なった構造となっている。チューナ９００における裏カバーの取り付け構造を図７に示す。
【００１０】
チューナ９００の背面側には金属製の裏カバー９８８が取り付けられる。裏カバー９８８は、図７に示すように、チューナ９００の長辺方向及び短辺方向に沿って延び、基板裏面９０５に対峙して基板裏面９０５のほぼ全体を覆う構造となっている。また、裏カバー９８８は図６に示した表カバー９７８にあった保持腕９８４を省略した構造となっている。これは、チューナ９００の枠体９２８が、背面側では底板を備えていないからである。 
【００１１】
その結果、裏カバー９８８のセット基板への装着側の端辺には、枠体９２８による支えがどこにもなく、枠体９２８から浮いた状態となっていた。そのため、チューナ９００を手で保持しようとして、裏カバー９８８を掴んだ時に、裏カバー９８８がへこんで変形してしまい、外観上の問題が発生してしまう可能性があった。
【００１２】
本考案は、このような従来技術の実情に鑑みてなされたもので、その目的は、枠体に取り付けられた蓋体を掴んだ時に、蓋体がへこんで変形してしまうことがなく、外観上の問題が発生しない電子機器を提供することにある。
【課題を解決するための手段】
【００１３】
この課題を解決するために、本考案の電子機器は、セット製品のマザーボードに装着される電子機器であって、平面視矩形状をしていると共に一方の面に電子部品が搭載された配線基板と、前記配線基板を支持すると共に前記配線基板の他方の面側に開口部を有し、前記マザーボードへの装着に供される金属製の枠体と、前記開口部を前記他方の面側から覆う金属製の蓋体と、を備え、前記枠体は、前記配線基板の１つの辺である第１辺に沿って形成された第１枠板と、前記配線基板の前記第１辺に対して直角方向にある第２辺に沿って前記第１枠板から連続して形成された第２枠板と、前記配線基板の前記第２辺に対して対向する辺である第３辺に沿って前記第１枠板から連続して形成された第３枠板とを有し、前記配線基板には、前記配線基板と前記マザーボードとを接続する複数の接続端子が、前記第１辺に対して対向する辺である第４辺に沿って並設されていて、前記蓋体は、前記配線基板の他方の面と対向する蓋板と、前記蓋板から垂直方向に連なると共に前記第１枠板に対し平行に形成され、前記第１枠板の面を外側から押さえるように構成された第１腕と、前記蓋板から垂直方向に連なると共に前記第１腕に対し平行に形成された第２腕と、を有し、前記第２腕が、前記第２枠板と前記第３枠板とで係止される、という特徴を有する。
【００１４】
このように構成された本考案の電子機器は、蓋体の第２腕が第２枠板と第３枠板とで係止されることにより、蓋体の端辺が枠体によって安定に支持されるので、蓋体を掴んだ時に蓋体がへこんで変形してしまうことがなく、外観上の問題が発生することがない。
【００１５】
また、上記の構成において、前記第２枠板及び前記第３枠板それぞれの、前記第２腕の側の上端から垂直方向に側溝を形成させ、前記第２腕の両端部が、前記第２枠板及び前記第３枠板それぞれに形成された側溝に挿入される、という特徴を有する。
【００１６】
このように構成された本考案の電子機器は、第２枠板及び第３枠板それぞれに側溝を設け、それぞれの側溝に第２腕の両端部を挿入したので、第２腕を容易に支持することができる。
【００１７】
また、上記の構成において、前記第２枠板及び前記第３枠板それぞれに前記配線基板を押さえるための舌片が設けられており、２つの前記側溝それぞれが、前記舌片の方向に向けて形成されている、という特徴を有する。
【００１８】
このように構成された本考案の電子機器は、配線基板の固定のための舌片と蓋の固定のための側溝とを互いの近傍に設けたので、電子機器を小型化することができる。
【考案の効果】
【００１９】
本考案の電子機器によれば、蓋体の第２腕が第２枠板と第３枠板とで係止されることにより、蓋体の端辺が枠体によって安定に支持されるので、蓋体を掴んだ時に蓋体がへこんで変形してしまうことがなく、外観上の問題が発生することがない。
【図面の簡単な説明】
【００２０】
【図１】本考案の実施形態に係る電子機器の斜視図である。
【図２】マザーボードに装着された電子機器の側面図である。
【図３】電子機器の分解斜視図である。
【図４】電子機器に使用される枠体の拡大斜視図である。
【図５】枠体に蓋体を取り付けた時の拡大斜視図である。
【図６】従来例に係る電子機器の斜視図である。
【図７】従来例に係る電子機器の平面図である。
【考案を実施するための形態】
【００２１】
[実施形態]
以下、本考案の実施形態について、図面を参照しながら説明する。図１は、本考案の実施形態に係る電子機器１００の斜視図であり、図２は、セット製品のマザーボード５１に装着された電子機器１００の側面図である。また、図３は、電子機器１００の分解斜視図である。尚、本明細書では、特に断りの無い限り、各図面のＸ１側を右側、Ｘ２側を左側、Ｙ１側を奥側、Ｙ２側を手前側、Ｚ１側を上側、Ｚ２側を下側として説明する。
【００２２】
本考案の実施形態に係る電子機器１００は、テレビジョン放送等を受信するためのチューナであり、電子機器の一例として挙げるものである。
【００２３】
図１に示すとおり、電子機器１００は、配線基板３と、上下に開口を有すると共に配線基板３が組み込まれた枠体１と、枠体１の上側の開口をふさぐ蓋体２と、枠体１の下側の開口をふさぐカバー４とを備えている。電子機器１００は、全体として、上下方向の幅が小さな略直方体形状をしている。尚、図１に示すカバー４が図６に示した従来例のチューナ９００における表カバー９７８に相当し、図１に示す蓋体２が図７に示したチューナ９００における裏カバー９８８に相当する。
【００２４】
電子機器１００は、図２に示すとおり、セット製品のマザーボード５１上に装着されて使用される。マザーボード５１への装着に供される金属製の枠体１のＹ２側の端部には、脚部１ｈが設けられていて、脚部１ｈがマザーボード５１に半田で取り付けられる。尚、マザーボード５１は、外部基板の一例として挙げるものであり、例えばテレビジョンセットの主基板である。配線基板３には、複数の接続端子７が設けられており、配線基板３の内部に構成された電子回路（図示せず）とマザーボード５１に構成された電子回路（図示せず）とを接続する。尚、電子機器１００は、配線基板３がマザーボード５１に対して垂直方向になるように取り付けられる形態としているが、配線基板３がマザーボード５１に対して水平になるように取り付けられる形態としても良い。
【００２５】
図３に示すように、配線基板３は、平面視矩形状をしていると共に、下側の面である一方の面に電子部品６が搭載されていて、配線基板３の上側の面や下側の面等に形成された配線パターン（図示せず）と共に電子回路を構成している。電子部品６は、主に高周波回路用の部品である。平面視矩形状の配線基板３は、Ｙ１側に配線基板３の１つの辺である第１辺３ａを有し、Ｘ２側に第１辺３ａに対して直角方向にある第２辺３ｂを有し、Ｘ１側に第２辺３ｂに対して対向する辺である第３辺３ｃを有している。また、Ｙ２側に第１辺３ａに対して対向する辺である第４辺３ｄを有している。前述した、配線基板３とマザーボード５１とを接続する複数の接続端子７は、第４辺３ｄに沿って並設されている。更に、配線基板３には、複数の取付穴３ｅが設けられていて、配線基板３が枠体１に取り付けられる時に用いられる。
【００２６】
枠体１は、配線基板３を支持すると共に、配線基板３の他方の面側、即ち上側に開口部１ｄを有している。枠体１は、配線基板３の一方の面側、即ち下側にも開口部を有しているが、配線基板３は開口部１ｄ側から挿入されて取付けられるので、この下側の開口部は塞がっていても良い。
【００２７】
枠体１は、平面視矩形状をしていると共に、配線基板３が枠体１に組み込まれた状態において、配線基板３の第１辺３ａに沿って形成された第１枠板１ａと、配線基板３の第２辺３ｂに沿って第１枠板１ａから連続して形成された第２枠板１ｂと、配線基板３の第３辺３ｃに沿って第１枠板１ａから連続して形成された第３枠板１ｃと、を有している。第１枠板１ａと第２枠板１ｂと第３枠板１ｃとは、配線基板３の下側の面に対面する正面板１ｋによって繋がっている。また、枠体１の手前側（Ｙ２側）には、前述した脚部１ｈが第２枠板１ｂ又は第３枠板１ｃから連続して形成されている。更に、正面板１ｋの手前側の端辺には、正面板１ｋから連続していると共に、正面板１ｋに対し上方に向けて形成された底板１ｊが設けられている。底板１ｊは、枠体１の強度を増す役割を果たす。また、枠体１には、各所に基板支持部１ｇが設けられていて、配線基板３が複数個の基板支持部１ｇに支えられる。また、枠体１には、突出部１ｉが複数個設けられていて、それぞれの突出部１ｉが前述の配線基板３に設けられた複数の取付穴３ｅに挿入され、半田付けにより配線基板３を安定に取付けるように構成されている。
【００２８】
蓋体２は、配線基板３の他方の面、即ち上側の面側から配線基板３を覆うように取り付けられる。蓋体２は、配線基板３の他方の面と対向する蓋板２ｃと、蓋板２ｃから垂直方向に連なると共に第１枠板１ａに対し平行に形成され、第１枠板１ａの面を外側から押さえるように構成された第１腕２ａと、蓋板２ｃから垂直方向に連なると共に第１腕２ａに対し平行に形成された第２腕２ｂと、を有している。また、蓋体２は、第１腕２ａ及び第２腕２ｂとそれぞれ直交する辺にも、枠体１の第２枠板１ｂの面を外側から押さえるように構成された第３腕２ｄと、第３枠板１ｃの面を外側から押さえるように構成された第４腕２ｅとを有している。蓋体２がこのように構成されて枠体１に取り付けられることによって、蓋体２が枠体１から脱落することはない。
【００２９】
カバー４は、蓋体２と同様に、平面視矩形状をしていると共に、枠体１の第１枠板１ａと第２枠板１ｂと第３枠板１ｃと底板１ｊとの各面をそれぞれ外側から押さえるように構成された腕を各辺に有している。カバー４もこのように構成され、枠体１に取り付けられることによって、カバー４が枠体１から脱落することはない。尚、枠体１と蓋体２とカバー４とは、配線基板３に構成された電子回路を高周波的にシールドするために、金属を用いて形成されている。
【００３０】
次に、本考案の実施形態の詳細な構造について、図４及び図５を参照しながら説明する。図４は、枠体１の第２枠板１ｂ側を斜め下方から見た時の拡大斜視図であり、図５は、枠体１に蓋体２を取り付けた時の電子機器１００を斜め上方から見た時の拡大斜視図である。
【００３１】
図４に示すとおり、第２枠板１ｂの、脚部１ｈに近い部分には、配線基板３を支持するための基板支持部１ｇが設けられていると共に、基板支持部１ｇの上部には配線基板３を上から押さえるための舌片１ｆが設けられている。基板支持部１ｇは、第２枠板１ｂからの突き出し加工で形成されている。また、舌片１ｆは、第２枠板１ｂから切り起こして形成されている。
【００３２】
第２枠板１ｂには、舌片１ｆの上方の位置で、蓋体２によって覆われる側即ち第２枠板１ｂの上端から垂直方向に側溝１ｅが形成されていると共に、舌片１ｆの方向に向けて形成されている。即ち、舌片１ｆと側溝１ｅとは互いの近傍に設けられている。側溝１ｅの溝の幅は、蓋体２の第２腕２ｂの板厚より若干大きく設定されていて、溝の深さは、第２腕２ｂの上下方向の幅が収まる寸法に設定されている。尚、ここでは、枠体１の第２枠板１ｂ側について説明しているが、枠体１の第３枠板１ｃ側においても、その構造は同様であり、第３枠板１ｃにも、上側即ち蓋体２によって覆われる側の上端から垂直方向に側溝１ｅが形成されていて、その側溝１ｅも舌片１ｆの方向に向けて形成されている。
【００３３】
図５に示すように、配線基板３は、第２枠板１ｂに設けられた基板支持部１ｇに支えられ、舌片１ｆによって上から押さえられて固定される。第３枠板１ｃ側においても同様である。
【００３４】
図５に示すように、蓋体２の第２腕２ｂの左側（Ｘ２側）の端部は、第２枠板１ｂに形成された側溝１ｅに挿入される。また、図示はしていないが、蓋体２の第２腕２ｂの右側（Ｘ１側）の端部も、第３枠板１ｃに形成された側溝１ｅに挿入される。即ち、蓋体２の第２腕２ｂの両端部が、第２枠板１ｂ及び第３枠板１ｃそれぞれに形成された側溝１ｅに挿入され、第２腕２ｂが、第２枠板１ｂと第３枠板１ｃとで係止される。このことにより、蓋体２の端辺が枠体１によって安定に支持される。
【００３５】
このように、本考案の電子機器１００では、蓋体２の第２腕２ｂが第２枠板１ｂと第３枠板１ｃとで係止されることにより、蓋体２の端辺が枠体１によって安定に支持されるので、蓋体２を掴んだ時に蓋体２がへこんで変形してしまうことがなく、外観上の問題が発生することがない。
【００３６】
また、第２枠板１ｂ及び第３枠板１ｃそれぞれに側溝１ｅを設け、それぞれの側溝１ｅに蓋体２の第２腕２ｂの両端部を挿入したので、第２腕２ｂを容易に支持することができる。
【００３７】
また、枠体１の第２枠板１ｂ及び第３枠板１ｃに、配線基板３の固定のための舌片１ｆと蓋体２の固定のための側溝１ｅとを互いの近傍に設けたので、電子機器１００を小型化することができる。
【００３８】
以上説明したように、本考案の電子機器は、蓋体の第２腕が第２枠板と第３枠板とで係止されることにより、蓋体の端辺が枠体によって安定に支持されるので、蓋体を掴んだ時に蓋体がへこんで変形してしまうことがなく、外観上の問題が発生することがない。
【００３９】
本考案は上記の実施形態の記載に限定されず、その効果が発揮される態様で適宜変更して実施することができる。
【符号の説明】
【００４０】
１        枠体
１ａ      第１枠板
１ｂ      第２枠板
１ｃ      第３枠板
１ｄ      開口部
１ｅ      側溝
１ｆ      舌片
１ｇ      基板支持部
１ｈ      脚部
１ｉ      突出部
１ｊ      底板
１ｋ      正面板
２        蓋体
２ａ      第１腕
２ｂ      第２腕
２ｃ      蓋板
２ｄ      第３腕
２ｅ      第４腕
３        配線基板
３ａ      第１辺
３ｂ      第２辺
３ｃ      第３辺
３ｄ      第４辺
３ｅ      取付穴
４        カバー
６        電子部品
７        接続端子
５１      マザーボード
１００    電子機器
【図１】
0003189708.tif 000003
【図２】
0003189708.tif 000004
【図３】
0003189708.tif 000005
【図４】
0003189708.tif 000006
【図５】
0003189708.tif 000007
【図６】
0003189708.tif 000008
【図７】
0003189708.tif 000009